(57)【要約】【課題】安定性が確保された外枠を用いた遊技機を得る。【解決手段】外枠１２の外壁面の底側から突部１２０を突設させることで、パチンコ機載置台の載置面には、突部１２０の表面が面接することとなる。外枠１２の周壁には、外枠１２の前面から裏面に渡って抜き勾配を設ける必要があるが、外枠１２に突部１２０を突設させることで、突部１２０と突部１２０以外の部分とで抜き勾配を変えることができる。このため、突部１２０の幅を、金型からの離型方向に沿って徐々に狭くすることで、突部１２０の離型抵抗を小さくして、離型性を向上させることができる。これにより、突部１２０の表面１２０Ａを、金型からの離型方向に対して略平行にすることが可能となり、パチンコ機載置台の載置面に対してパチンコ機の安定性を確保することができる。【選択図】  図４
2004188066.tif 000002
【特許請求の範囲】
【請求項１】
遊技機用島設備に固定される略矩形状の外枠と、
前記外枠に回動可能に軸支されると共に、前面側に遊技盤が設けられ、裏面側に電子部品が配設された内枠と、
を備えた遊技機において、
前記外枠の外壁面の底側に、外枠の前面から裏面に渡って突部を突設させ、前記突部の幅が、外枠を一体成形する金型から離型する方向に沿って徐々に狭くされると共に、突部の表面が前記金型からの離型方向に対して略平行に形成されたことを特徴とする遊技機。
【請求項２】
遊技機用島設備に固定される略矩形状の外枠と、
前記外枠に回動可能に軸支されると共に、前面側に遊技盤が設けられ、裏面側に電子部品が配設された内枠と、
を備えた遊技機において、
前記外枠を一体成形する金型のパーティングラインを外枠の前面とし、外枠の前面から裏面へ向けて外枠を前記金型から離型させることを特徴とする遊技機。
【請求項３】
前記外枠の外壁面の底側に、外枠の前面から裏面に渡って突部が突設し、少なくとも前記突部の表面の前記金型の抜き勾配の角度が、前記遊技機用島設備に外枠を固定するときの傾斜調整角度に設定されていることを特徴とする請求項２に記載の遊技機。
【請求項４】
前記外枠を一体成形する金型のパーティングラインを外枠の幅方向の中央部としたことを特徴とする請求項１に記載の遊技機。
【発明の詳細な説明】
【０００１】
【発明の属する技術分野】
本発明は、パチンコ機などの遊技機に関する。
【０００２】
【従来の技術】
パチンコ機には、遊技盤等が固定された内枠を回動可能に軸支する外枠が備えられており、パチンコホール等の遊技場に設けられた島設備に外枠を釘打ちして島設備にパチンコ機を設置する。
【０００３】
一方、近年、自然環境保護等の観点から、外枠を木材以外の材質に変更すると共に、リサイクルして再利用できるようにすることが提案されている。
【０００４】
このため、特許文献１では、外枠を上側枠部材と、下側枠部材と、右側枠部材と、左側枠部材と、で構成し、各枠部材を薄肉の金属板材で形成しており、これらの枠部材を、金属製の連結部によって互いに連結することで、組み立てた外枠の角部を補強している。さらに、右側枠部材及び左側枠部材の長手方向に沿った中央部において、金属製の補強部材を固定し、反りや撓みを起因とした変形を防止している。
【０００５】
このように、連結部或いは補強部材を用いることで外枠を強化しているが、枠組みをしなければならないため、面倒であり、作業工数が増大してしまう。
【０００６】
このため、外枠を金型で一体成形することが考えられるが、金型から外枠を離型させるため、外枠の周壁には、金型の離型方向に沿っていわゆる抜き勾配を設ける必要がある。
【０００７】
金型を構成する可動側金型と固定側金型との分割面であるパーティングラインを外枠の裏面とした場合、この抜き勾配により、対面する外壁面同士の離間距離が、外枠の前面（内枠が外枠に取付けられた状態で遊技盤が配置される側）から裏面（内枠が外枠に取付けられた状態で電子部品等が配設される側）へ向かって徐々に広がることとなる。
【０００８】
一方、遊技機用島設備では、外枠に内枠を取り付けた状態のパチンコ機を、遊技機用島設備に設けられたパチンコ機載置台に載置させた状態で、パチンコ機の位置決め調整を行うが、外枠の外壁面の底側に形成された抜き勾配によりパチンコ機は前傾してしまう。
【０００９】
このため、パチンコ機の安定性が悪く、パチンコ機を位置決め調整して固定するまで、パチンコ機を支持していなければならなくなり、作業性が悪い。また、パチンコ機の安定性が悪いため、パチンコ機の保管或いは輸送においても不都合が生じる。
【００１０】
従って、外枠の外壁面の底面側について、金型を構成する可動側金型の移動方向と直交する方向へ移動するスライドコアを設け、外枠の外壁面の底面の水平度を確保することも考えられるが、スライドコアを設けると、金型が大きくなり、その分成形機も大きくなるため、ランニングコストが高くなってしまう。
【００１１】
【特許文献１】
特開２００２−２３９１７４公報  （第４−６頁、第２図）
【００１２】
【発明が解決しようとする課題】
本発明は上記事実を考慮して、安定性が確保された外枠を用いた遊技機を安価で提供することを課題とする。
【００１３】
【課題を解決するための手段】
請求項１に記載の発明は、遊技機用島設備に固定される略矩形状の外枠と、前記外枠に回動可能に軸支されると共に、前面側に遊技盤が設けられ、裏面側に電子部品が配設された内枠と、を備えた遊技機において、前記外枠の外壁面の底側に、外枠の前面から裏面に渡って突部を突設させ、前記突部の幅が、外枠を一体成形する金型から離型する方向に沿って徐々に広くされると共に、突部の表面が前記金型からの離型方向に対して略平行に形成されたことを特徴としている。
【００１４】
請求項１に記載の発明では、外枠の外壁面の底側に、外枠の前面から裏面に渡って突部を突設させている。このように、外枠の外壁面の底側から突部を突設させることで、遊技機用島設備に設けられたパチンコ機載置台の載置面には、突部の表面が面接することとなる。
【００１５】
外枠の周壁には、外枠を金型から離型させるため、抜き勾配を設ける必要があるが、外枠の外壁面の底側に突部を突設させることで、突部と突部以外の部分とで抜き勾配を変えることができる。
【００１６】
ここで、突部の幅を、金型からの離型方向に沿って徐々に狭くすることで、突部の離型抵抗を小さくして、突部の離型性を向上させることができる。このため、突部の表面を、金型の離型方向に対して略平行にすることが可能となる。
【００１７】
従って、パチンコ機載置台にパチンコ機を載置させた状態で、パチンコ機載置台の載置面に対して外枠を水平状態に保持することができ、パチンコ機の安定性を確保することができる。
【００１８】
このように、外枠の外壁面の底側から突部を突設させ、この突部の水平度を確保することで、金型にスライドコアを設けなくても、外枠の外壁面の底面を水平にすることができるため、その分金型費用を安くすることができると共に、ランニングコストも安くなる。
【００１９】
また、外枠を一体成形することで、部品点数を削減することができると共に、外枠の組立て作業が不要となり、製品コストを下げることができる。また、リサイクルの際、分解等の手間が要らないため、素材（金属）へのリサイクル性が向上する。
【００２０】
請求項２に記載の発明は、遊技機用島設備に固定される略矩形状の外枠と、前記外枠に回動可能に軸支されると共に、前面側に遊技盤が設けられ、裏面側に電子部品が配設された内枠と、を備えた遊技機において、前記外枠を一体成形する金型のパーティングラインを外枠の前面とし、外枠の表面から裏面へ向けて外枠を前記金型から離型させることを特徴としている。
【００２１】
請求項２に記載の発明では、外枠を一体成形する金型のパーティングラインを外枠の前面とし、外枠の表面から裏面へ向けて外枠を金型から離型させることで、金型のパーティングラインを外枠の裏面にした場合と傾きが逆の抜き勾配を形成させるようにしている。
【００２２】
これにより、パチンコ機載置台の載置面に外枠を載置させた状態で、外枠は後傾することになる。通常、遊技盤及び電子部品が搭載されたパチンコ機は重心が前側にある。このため、パチンコ機載置台の載置面に外枠を載置させた状態で、パチンコ機を後傾させるようにすることで、パチンコ機が前倒し難くなるので安全であると共に、作業性が良い。
【００２３】
請求項３に記載の発明は、前記外枠の外壁面の底側に、外枠の前面から裏面に渡って突部が突設し、少なくとも前記突部の表面の前記金型の抜き勾配の角度が、前記遊技機用島設備に外枠を固定するときの傾斜調整角度に設定されていることを特徴としている。
【００２４】
パチンコ機は重心が前側にあるため、遊技機用島設備の設置ではパチンコ機を後方へ傾斜させる傾斜調整を行っている。突部の表面の抜き勾配を、遊技機用島設備に外枠を固定するときの傾斜調整角度に設定することで、パチンコ機載置台の載置面に外枠を載置するだけで、パチンコ機が傾斜調整されることとなる。
【００２５】
請求項４に記載の発明では、外枠を一体成形する金型のパーティングラインを外枠の幅方向の中央部としている。これにより、金型のパーティングラインを外枠の前面或いは裏面とした場合に比べ、外枠の離型抵抗が小さくなり、外枠の離型性を向上させることができる。
【００２６】
【発明の実施の形態】
以下、図面を参照して本発明の実施の形態を説明する。
【００２７】
図１及び図２には、本発明の実施の形態に係るパチンコ機の表面側が示されており、図３には、パチンコ機の裏面側が示されている。
【００２８】
図１及び図２に示すように、パチンコ機１０には、矩形額縁状の外枠１２が備えられており、パチンコ機１０の外郭部を構成し、パチンコホールのパチンコ機隣接設置部である所謂「島」（図示省略）に固定される。
【００２９】
外枠１２の左側端部には、図４（なお、図４は外枠１２の裏面側からの斜視図である）に示すように、ヒンジ部７０、７２が設けられており、外枠１２の右側端部には、鍵状の一対の係止部８４が外枠１２と一体に形成されている。
【００３０】
一方、図１及び図３に示すように、内枠１４の左側端部（図３では、内枠１４の右側端部）の上下には、ヒンジ板７８、８０が固定されている。このヒンジ板７８、８０がヒンジ部７０、７２に回転可能に軸支され、これにより、外枠１２に対して内枠１４が開閉可能となる。
【００３１】
また、内枠１４の自由端側には、一対のフック８２が固定されており、内枠１４が閉止されるとき、スライダー装置２３によって、フック８２が下方へ回動し、内枠１４が閉止されると、フック８２が元の位置に戻ると共に、フック８２に形成された溝部８２Ａが係止部８４に係止され、内枠１４が外枠１２に対して固定される。
【００３２】
さらに、内枠１４の前面上部には、ガラス枠２０が配置されており、ガラス枠２０の左側端部が内枠１４に軸支され、内枠１４に対して開閉可能に取付けられている。ここで、ガラス枠２０には、ガラスフレーム１８が備えられており、このガラスフレーム１８内にガラス板１６が装着されている。また、ガラス枠２０と内枠１４とは、内枠１４の右側端部に設けられたシリンダ錠２２により、ガラス枠２０が閉止された状態で施錠されるようになっている。
【００３３】
また、内枠１４の前面下部には、遊技者側へ突出した球皿部２４を備えた一体皿２６が設けられており、一体皿２６の左側端部が内枠１４に軸支され、内枠１４に対して開閉可能に取付けられている。
【００３４】
この一体皿２６の前面の上部右寄りには、球排出口２７が設けられており、貸し球や賞球が排出される。球排出口２７から排出された貸し球や賞球は、球皿部２４に貯留されると共に、球皿部２４の下流側に設けられた誘導通路２４Ａにより一列に整列されて打球発射装置２５（図３参照）へ誘導される。
【００３５】
また、一体皿２６の前面には、左側下部に灰皿２８が配置され、右側下部には打球発射装置２５から発射する遊技球の飛距離を調整するための発射ハンドル３０が設けられている。
【００３６】
さらに、一体皿２６の上部には、遊技盤３２が取り付けられており、ガラス板１６によって覆われるようになっている。この遊技盤３２は、ベニヤ板３３の表面に樹脂材料で形成されたシート状のセル３４が貼着されて形成されており、盤面３２Ａには、外バンド３６及び内バンド３７とレール飾り３８、３９とによって囲まれた略円形状の遊技領域４０が設けられている。
【００３７】
この遊技領域４０内に、背景画像や各種キャラクター画像等を含む装飾画（図示省略）が印刷されている。また、遊技領域４０には、特別図柄表示装置４２や大入賞口（変動入賞装置）４４等の役物、始動口４６や入賞口４８、風車５０等の遊技部品、左右側端部に配置されたサイド飾り５２Ａ、５２Ｂが取り付けられており、最下位置にアウト口５４が配置されている。
【００３８】
さらに、遊技盤３２の右側端部に配置されたレール飾り３８の右下隅には、証紙５６を貼り付た証紙台５８が取り付けられており、この証紙台５８は、左方に配置されたヒンジ板６０に支持されて、盤面３２Ａに対して開閉動するようになっている。
【００３９】
また、図２に示すように、パチンコ機１０の正面には、ガラス枠２０の前面に、賞球表示灯や完了表示灯等の機能を有する複数の表示灯６２及び賞球払出エラー表示灯６３Ａや払出状態エラー表示灯６３Ｂがガラス板１６（図１に示す遊技盤３２の遊技領域４０）を取り囲むように配列されており、左上隅近傍と右側端上部に、遊技の効果音を発生するスピーカー６４、６６が配置されている。
【００４０】
一方、図３に示すように、内枠１４に取付けられた遊技盤３２の裏面には、各種機構部品や電気部品等を搭載した機構枠体としての裏セット８６が取り付けられている。ここで、裏セット８６の構成について概略説明する。
【００４１】
裏セット８６の実装スペース１５には、主基板１０２及び図柄制御基板１０４が設けられており、主基板１０２及び図柄制御基板１０４の周りには、賞球払出機構８８が設けられている。この賞球払出機構８８には上タンク９０と下タンク９２とで構成されたタンクセット９４が備えられており、内枠１４裏面の上部左側に配置されている。
【００４２】
上タンク９０と下タンク９２とは、互いに連通しており、ホールに設置された島設備から供給された遊技球は一端、上タンク９０で貯球される。上タンク９０から下タンク９２へ移動した遊技球は、下タンク９２内で整列され、球詰まりしないようにして下タンク９２の下流側に配置された樋９６へ案内される。樋９６には遊技球が貯溜可能となっており、樋９６の下端部には賞球払出装置９８が配設されている。
【００４３】
一方、裏セット８６の下部には、払出制御基板１００が配設されており、賞球払出装置９８の通常の排出動作（賞球や貸球の排出動作）を制御している。遊技中に、パチンコ球が図１に示す遊技盤３２に設けられた入賞口４８に入賞すると、図示しない入賞球センサから出力される入賞球検出信号に基づいて、払出制御基板１００に配設された払出制御回路（図示省略）へ信号が送信され、これにより、賞球払出装置９８が駆動し、入賞価値に応じた所定数のパチンコ球（賞球）が排出される。
【００４４】
ここで、賞球払出装置９８には、球排出口２７（図１参照）と連通する球案内通路１０６が連設されており、球案内通路１０６へ排出された賞球は、球排出口２７を経て、球皿部２４（図１参照）へ払い出されるようになっている。
【００４５】
次に、本発明の実施の形態に係るパチンコ機の外枠について説明する。
【００４６】
外枠１２を、金型によってアルミニウムで成形している。図４に示すように（なお、図４は外枠１２の裏面側からの斜視図である）、外枠１２の下部には、保持板１０８を外枠１２と一体に設けており、外枠１２の前面から一段下がった位置に形成している。
【００４７】
この保持板１０８の前面には、下飾り部材１１０（図１参照）が取り付け可能となっている。保持板１０８の両端側には、係合穴１０８Ａを貫通させており、下飾り部材１１０の裏面に形成された係合ボス（図示省略）を係合穴１０８Ａに係合させ、下飾り部材１１０を保持板１０８に固定させる。
【００４８】
また、保持板１０８の上端側には、段部（図示省略）が形成されており、内枠１４を外枠１２に軸支させる過程で、内枠１４の過重を受けるための載置部１０７が設けられている。
【００４９】
このため、保持板１０８の裏面側には、この載置部１０７及び段部を支持するためのステイ１０９が複数設けられている。このステイ１０９の肉厚は、外枠１２の周壁の肉厚と略同一としており、外枠１２の成形後にひけが生じないようにしている。
【００５０】
また、外枠１２の開口部１２Ａの右側端部の上下には、外枠１２と一体に、ヒンジ部７０、７２を設けており、外枠１２の前面から張り出させている。このヒンジ部７０、７２には内枠１４（図３参照）に設けられたヒンジ板７８、８０（図３参照）が軸支され、外枠１２に対して内枠１４を開閉可能としている。
【００５１】
さらに、外枠１２の開口部１２Ａの左側端部には、外枠１２と一体に、内壁面に一対の係止部８４を設けている。この係止部８４には、内枠１４に設けられたフック８２（図１参照）が係止可能となっており、係止部８４にフック８２が係止された状態で、内枠１４が外枠１２に固定される。
【００５２】
一方、図５に示すように、外枠１２を成形する金型１１２には、可動側金型１１２Ａと固定側金型１１２Ｂとが備えられており、可動側金型１１２Ａには外枠１２を離型させるためのエジェクターピン１１４が複数配設されている。これにより、金型１１２を型開きした後、可動側金型１１２Ａから外枠１２がバランス良く離型されるようにしている。
【００５３】
ここで、金型１１２の寿命を長くするため、エジェクターピン１１４はできるだけ太い方が良い。このため、外枠１２にはエジェクターピン１１４が面接可能な略円柱状の受け部１１６が別途設けられており、外枠１２の角部及び係止部８４と連設している。
【００５４】
このように、複数の受け部１１６を設けることで、金型１１２からの離型時に外枠１２を押圧する面積が増大するため、外枠１２の離型性が良くなると共に、無理に離型させることによる変形等の問題が少ない。
【００５５】
一方、外枠１２の内壁面には、外枠１２の前面側に、補強リブ１１８が内壁面の全周に渡って立設している。外枠１２の内壁面の全周に渡って補強リブ１１８が立設することで、外枠１２をさらに強化することができると共に、外枠１２の変形を防止することができ、寸法精度が高くなる。
【００５６】
この補強リブ１１８は、内枠１４を外枠１２へ閉止させるときの内枠１４のシリンダ錠２２等の移動軌跡上から退避しており、内枠１４を外枠１２へ閉止させるときに邪魔にならないようになっている。また、外枠１２の係止部８４は、係止部８４の周りを囲んでおり、係止部８４を補強している。
【００５７】
また、補強リブ１１８は、内枠１４を外枠１２に固定させた状態で、外枠１２の内壁面と内枠１４の外壁面との間に生じる隙間を埋める高さとなっており、図３に示すように、内枠１４を外枠１２に固定させた状態で、外枠１２の内壁面と内枠１４の外壁面との間に生じる隙間を塞いでいる。
【００５８】
このため、内枠１４を外枠１２に固定させた状態で、外枠１２の内壁面と内枠１４の外壁面との間に生じる隙間Ｈが補強リブ１１８によって塞がれ、隙間Ｈからピアノ線などの不正具を侵入させても、補強リブ１１８に当接するため、機器内部への侵入が防げられ、不正行為を防止することができる。
【００５９】
次に、本発明の実施の形態に係るパチンコ機の外枠の要旨及びその作用について説明する。
【００６０】
図４に示すように、外枠１２の外壁面の底側の両端部及び中央部に、外枠１２の前面から裏面に渡って突部１２０を突設させている。このように、外枠１２の外壁面の底側から突部１２０を突設させることで、図示しない遊技機用島設備に設けられたパチンコ機載置台の載置面には、突部１２０の表面１２０Ａが面接することとなる。
【００６１】
一方、図５及び図６（Ａ）に示すように、外枠１２を成形する金型１１２において、金型１１２を構成する可動側金型１１２Ａと固定側金型１１２Ｂとの分割面であるパーティングライン（ＰＬ）を外枠１２の裏面としている。
【００６２】
このため、外枠１２の周壁には、外枠１２を金型１１２から離型させるための抜き勾配（約１度）を、外枠１２の前面から裏面に渡って設ける必要がある。この抜き勾配により、対面する外壁面同士の離間距離が、外枠１２の前面から裏面へ向かって徐々に広がることとなるが、外枠１２の外壁面の底側に突部１２０を突設させることで、突部１２０と突部１２０以外の部分とで抜き勾配を変えることができる。
【００６３】
ここで、突部１２０の幅を、固定側金型１１２Ｂからの離型方向（矢印Ａ方向）に沿って徐々に狭くすることで、突部１２０の離型抵抗を小さくして、突部１２０の離型性を向上させることができる。このため、突部１２０の表面１２０Ａを、固定側金型１１２Ｂからの離型方向に対して略平行にすることが可能となる。
【００６４】
従って、パチンコ機載置台に外枠１２を載置させた状態で、パチンコ機載置台の載置面に対してパチンコ機１０（図１参照）を水平状態に保持することができ、パチンコ機１０の安定性を確保することができる。
このように、外枠１２の外壁面の底側から突部１２０を突設させ、この突部１２０の表面１２０Ａの水平度を確保することで、パチンコ機１０の安定性を得ることができる。
【００６５】
このため、金型１１２に可動側金型１１２Ａの移動方向に対して直交する方向へ移動するスライドコアを設けなくても、外枠１２の外壁面の底面を水平にすることができるため、その分金型費用を安くすることができると共に、ランニングコストも安くなる。
【００６６】
また、図４に示すように、外枠１２を金型１１２で一体成形することで、部品点数を削減することができると共に、外枠１２の組立て作業が不要となり、製品コストを下げることができる。また、リサイクルの際、分解等の手間が要らないため、素材（金属）へのリサイクル性が向上する。
【００６７】
なお、本形態では、図５に示すように、金型１１２を構成する可動側金型１１２Ａと固定側金型１１２Ｂとのパーティングライン（ＰＬ）を外枠１２の裏面としたが、これに限るものではない。
【００６８】
例えば、図６（Ｂ）及び図７に示すように、金型１２２を構成する可動側金型１２２Ａと固定側金型１２２Ｂとのパーティングライン（ＰＬ1）を外枠１２４の前面とし、外枠１２４の表面から裏面へ向けて外枠１２４を可動側金型１２２Ａから離型させるようにしても良い。
【００６９】
この場合、金型１２２から外枠１２４を離型させるための抜き勾配の傾きが、パーティングラインを外枠の裏面としたときと逆となる。このため、外枠１２４の対面する外壁面同士の離間距離が、外枠１２４の前面から裏面へ向かって徐々に狭くなることになる。従って、パチンコ機載置台の載置面に外枠１２４を載置させた状態で、パチンコ機１０（図１参照）は後傾することとなる。
【００７０】
通常、遊技盤３２（図１参照）及び賞球払出装置９８（図３参照）等が搭載されたパチンコ機１０は重心が前側にある。このため、抜き勾配を利用してパチンコ機載置台の載置面に外枠１２４を載置させた状態で、パチンコ機１０を後傾させるようにすることで、パチンコ機１０が前倒し難くなるので安全である。
【００７１】
ここで、外枠１２４の外壁面の底側に突部１２６を突設させ、この突部１２６の表面１２６Ａの抜き勾配を、遊技機用島設備に外枠１２４を固定するときの傾斜調整角度に設定する。
【００７２】
パチンコ機１０は重心が前側にあるため、遊技機用島設備の設置ではパチンコ機１０を後方へ傾斜させる傾斜調整を行っている。このため、パチンコ機載置台の載置面に面接する突部１２６の表面１２６Ａの抜き勾配を、外枠１２４を遊技機用島設備に固定するときの傾斜調整角度（０〜９分の範囲で、好ましくは約４分５厘）に設定することで、パチンコ機載置台の載置面に外枠１２４を載置するだけで、パチンコ機１０が傾斜調整されることとなるため、作業性が良くなる。
【００７３】
ここで、パーティングラインを外枠１２４の前面とした場合、外枠１２４の前面周縁部にバリが生じるが、サンドブラストなどによる後加工によって、バリ取りを行なう。
【００７４】
また、金型のパーティングラインを外枠の裏面或いは前面とする場合に限らず、図６（Ｃ）及び図８に示すように、金型１２８を構成する可動側金型１２８Ａと固定側金型１２８ＢとのパーティングラインＰＬ2を外枠１３０の幅方向の中央部としても良い。
【００７５】
この場合、パーティングラインＰＬ2を基準として、外枠１３０の前面及び裏面へ行くに従って突部１３２の幅を狭くして、金型１２８から離型しやすくする。これにより、金型１２８のパーティングラインＰＬ2を外枠１３０の前面或いは裏面とした場合に比べ、金型１２８から離型させるためのストロークが短い分、外枠１３０の離型抵抗が小さくなり、外枠１３０の離型性を向上させることができる。
【００７６】
また、本形態では、図４に示すように、外枠１２の外壁面の底側の両端部及び中央部に、外枠１２の前面から裏面に渡って突部１２０を突設させたが、パチンコ機載置台の載置面に突部１２０を安定した状態で面接させることができれば良いため、これに限るものではない。例えば、外枠１２の外壁面の底側の両端部のみに突設させても良いし、また、外枠１２の外壁面の底側の中央部のみに突設させても良い。
【００７７】
さらに、ここでは、外枠１２の内周壁に立設させた補強リブ１１８を、外枠１２の内壁面の全周に渡って形成させたが、必ずしもこれに限るものではなく、補強リブ１１８が断続的であっても良い。
【００７８】
また、必ずしも補強リブ１１８を、不正行為を防止するための壁とする必要はなく、内枠１４等に不正行為防止カバー等を別途設けても良い。さらに、外枠１２をアルミニウムで成形したが、これに限るものではなく、合成樹脂で成形しても良いのは勿論のことである。
【００７９】
以上、本発明を上述した特定の実施形態により詳細に説明したが、本発明はそれに限定されるものではなく、本発明の範囲内にて他の種々の実施形態が可能である。例えば、本形態では、一体皿構成としが、上皿と下皿を別々に備えたパチンコ機に適用することもできる。
【００８０】
【発明の効果】
本発明は、上記構成としたので、請求項１に記載の発明では、パチンコ機載置台にパチンコ機を載置させた状態で、パチンコ機載置台の載置面に対して外枠を水平状態に保持することができ、パチンコ機の安定性を確保することができる。また、外枠を一体成形することで、部品点数を削減することができると共に、外枠の組立て作業が不要となり、製品コストを下げることができる。また、リサイクルの際、分解等の手間が要らないため、素材（金属）へのリサイクル性が向上する。
請求項２に記載の発明では、パチンコ機載置台の載置面に外枠を載置させた状態で、外枠は後傾することになるため、パチンコ機が前倒し難くなるので安全であると共に、作業性が良い。請求項３に記載の発明では、パチンコ機載置台の載置面に外枠を載置するだけで、パチンコ機が傾斜調整されることとなる。請求項４に記載の発明では、金型のパーティングラインを外枠の前面或いは裏面とした場合に比べ、外枠の離型抵抗が小さくなり、外枠の離型性を向上させることができる。
【図面の簡単な説明】
【図１】本発明の実施の形態に係るパチンコ機を示した斜視図である。
【図２】本発明の実施の形態に係るパチンコ機を示した正面図である。
【図３】本発明の実施の形態に係るパチンコ機を示した裏面図である。
【図４】本発明の実施の形態に係るパチンコ機を構成する外枠の裏面側の斜視図である。
【図５】本発明の実施の形態に係るパチンコ機を構成する外枠及び外枠の金型を示す断面図である。
【図６】本発明の実施の形態に係るパチンコ機を構成する金型のパーティングラインを示す下面図であり、（Ａ）はパーティングラインを外枠の裏面とした場合、（Ｂ）はパーティングラインを外枠の前面とした場合であり、（Ｃ）はパーティングラインを外枠の幅方向の中央部とした場合を示している。
【図７】本発明の実施の形態に係るパチンコ機を構成する外枠及び外枠の金型の他の例を示す断面図である。
【図８】本発明の実施の形態に係るパチンコ機を構成する外枠及び外枠の金型の他の例を示す断面図である。
【符号の説明】
１０   パチンコ機（遊技機）
１２   外枠
１４   内枠
１１２ 金型
１２０ 突部
１２２ 金型
１２４ 外枠
１２６ 突部
１２８ 金型
１３０ 外枠
１３２ 突部
【図１】
2004188066.tif 000003
【図２】
2004188066.tif 000004
【図３】
2004188066.tif 000005
【図４】
2004188066.tif 000006
【図５】
2004188066.tif 000007
【図６】
2004188066.tif 000008
【図７】
2004188066.tif 000009
【図８】
2004188066.tif 000010